(57)【要約】【課題】従来の駆動方式である２種類の駆動信号を使用し、且つ直線状の輪郭を備えたもの以外のパネル形状（丸型及び多角形形状）でも、駆動可能である液晶ディスプレイを得ること。【解決手段】  本発明にかかる液晶ディスプレイは、複数の直線状の辺若しくは曲線状の辺より形成された円弧状の外形状を有し、第１の配線と第２の配線に入力された駆動信号に応じて液晶表示を実現する液晶表示パネルと、第１の配線と接続された第１の駆動信号入力用端子と、第２の配線と接続された第２の駆動信号入力用端子を備える。液晶表示パネルは、中央部から外周に亘って当該液晶表示パネルの一部を切り欠く切り欠き部を有し、第１の駆動信号入力用端子は、前記切り欠き部に設けられ、第２の駆動信号入力用端子は、液晶表示パネルの外周に設けられる。このような構成により、全体として任意の画像を液晶表示パネルに表示させることができる。【選択図】図３
2005195788.tif 000002
【特許請求の範囲】
【請求項１】
複数の直線状の辺若しくは曲線状の辺より形成された円弧状の外形状を有し、第１の配線と第２の配線に入力された駆動信号に応じて液晶表示を実現する液晶表示パネルと、前記第１の配線と接続された第１の駆動信号入力用端子と、前記第２の配線と接続された第２の駆動信号入力用端子を備えた液晶ディスプレイであって、
前記液晶表示パネルは、中央部から外周に亘って当該液晶表示パネルの一部を切り欠く切り欠き部を有し、
前記第１の駆動信号入力用端子は、前記切り欠き部に設けられ、
前記第２の駆動信号入力用端子は、前記液晶表示パネルの外周に設けられた液晶ディスプレイ。
【請求項２】
前記切り欠き部は、扇状の形状を有することを特徴とする請求項１記載の液晶ディスプレイ。
【請求項３】
複数の直線状の辺若しくは曲線状の辺より形成された円弧状の外形状を有し、第１の配線と第２の配線に入力された駆動信号に応じて液晶表示を実現する液晶表示パネルと、前記第１の配線と接続された第１の駆動信号入力用端子と、前記第２の配線と接続された第２の駆動信号入力用端子を備えた液晶ディスプレイであって、
前記液晶表示パネルは、中央部から外周に亘って当該液晶表示パネルの一部を切り欠く第１の切り欠き部と、当該中央部近傍において円弧状に当該液晶表示パネルの一部を切り欠く第２の切り欠き部を有し、
前記第１の駆動信号入力用端子は、前記第１の切り欠き部に設けられ、
前記第２の駆動信号入力用端子は、前記第２の切り欠き部に設けられた液晶ディスプレイ。
【請求項４】
前記第１の配線は信号線であり、前記第２の配線はデータ線であることを特徴とする請求項１乃至３いずれかに記載の液晶ディスプレイ。
【請求項５】
中心部にアナログの回転計を備えることを特徴とした請求項１乃至４いずれかに記載の液晶ディスプレイ。
【発明の詳細な説明】
【技術分野】
【０００１】
本発明は、外部からの信号により動作し、表示を行う液晶ディスプレイに関する。
【背景技術】
【０００２】
近年、薄型で省電力を特徴とする液晶ディスプレイは目覚しく普及が進んでおり、その利用形態も幅広くなってきている。その結果、液晶ディスプレイの形状も多様なものが要求されるようになってきた。
【０００３】
液晶ディスプレイは、さまざまな駆動方式により駆動されるが、その中で最も普及しているのはＴＦＴ（Ｔｈｉｎ  Ｆｉｌｍ  Ｔｒａｎｓｉｓｔｏｒ）方式である。このＴＦＴ方式では、信号線（ゲート線）とデータ線（ソース線）の２種類の信号を２方向（Ｘ方向、Ｙ方向）に入力することにより画素を表示させる方式である。この方式にするには液晶表示パネル（以下単にパネルとする）の形状は長方形が都合よく、現在普及しているＴＦＴ液晶ディスプレイも長方形のものがほとんどである。
【０００４】
他方、液晶ディスプレイのパネルの形状としては、長方形のものに限らず、円形、半円、扇形、楕円形、リング形などの平面形状のものが提案されている（例えば、特許文献１参照）。
【０００５】
【特許文献１】特開２０００−７５２５７号公報
【発明の開示】
【発明が解決しようとする課題】
【０００６】
かかる特許文献１に開示された液晶ディスプレイにおいて、液晶表示パネルを駆動するための駆動信号入力用端子はパネルの外縁部もしくは内縁部に形成されている（特許文献１の図５、図６参照）。
【０００７】
従来の長方形のパネル形状を有する液晶ディスプレイの駆動方式では、二方向（Ｘ方向・Ｙ方向）から信号を入力する必要があるが、特許文献１に開示されたパネル構造では、駆動信号入力用端子が一方向しか無いため、駆動に必要な信号線とデータ線の２種類の信号を入力することができない。よって、２種類の駆動信号を使用して駆動しようとしても、信号線とデータ線をパネル内部で対角状に交差させることができず、液晶ディスプレイを駆動させることができない。
【０００８】
本発明は、上記のような課題を解決するためになされたもので、２種類の駆動信号を使用して駆動可能な丸型や多角形形状等の形状の表示部を有する液晶ディスプレイを得ることを目的とする。
【課題を解決するための手段】
【０００９】
本発明にかかる液晶ディスプレイは、複数の直線状の辺若しくは曲線状の辺より形成された円弧状の外形状を有し、第１の配線と第２の配線に入力された駆動信号に応じて液晶表示を実現する液晶表示パネルと、前記第１の配線と接続された第１の駆動信号入力用端子と、前記第２の配線と接続された第２の駆動信号入力用端子を備えた液晶ディスプレイであって、前記液晶表示パネルは、中央部から外周に亘って当該液晶表示パネルの一部を切り欠く切り欠き部を有し、前記第１の駆動信号入力用端子は、前記切り欠き部に設けられ、前記第２の駆動信号入力用端子は、前記液晶表示パネルの外周に設けられた液晶ディスプレイである。このような構成により、全体として任意の画像を液晶表示パネルに表示させることができる。
【００１０】
上述の切り欠き部は、扇状の形状を有することを特徴としてもよい。
【００１１】
本発明にかかる液晶ディスプレイは、複数の直線状の辺若しくは曲線状の辺より形成された円弧状の外形状を有し、第１の配線と第２の配線に入力された駆動信号に応じて液晶表示を実現する液晶表示パネルと、前記第１の配線と接続された第１の駆動信号入力用端子と、前記第２の配線と接続された第２の駆動信号入力用端子を備えた液晶ディスプレイであって、前記液晶表示パネルは、中央部から外周に亘って当該液晶表示パネルの一部を切り欠く第１の切り欠き部と、当該中央部近傍において円弧状に当該液晶表示パネルの一部を切り欠く第２の切り欠き部を有し、前記第１の駆動信号入力用端子は、前記第１の切り欠き部に設けられ、前記第２の駆動信号入力用端子は、前記第２の切り欠き部に設けられた液晶ディスプレイである。このような構成により、全体として任意の画像を液晶表示パネルに表示させることができる。
【００１２】
上述の第１の配線は信号線であり、第２の配線はデータ線であることを特徴としてもよい。
【００１３】
上述の液晶表示パネルは中心部にアナログの回転計を備えることを特徴としてもよい。こうすることにより、針部は立体的になり視認性が増す。
【発明の効果】
【００１４】
本発明によれば、丸型及び多角形形状のディスプレイであっても、必ず２つの辺を持つ構造を取るため、二方向（Ｘ方向・Ｙ方向）の信号入力が可能であり、このため、ＴＦＴ液晶ディスプレイ等の駆動に必要な信号線（ゲート線）とデータ線（ソース線）の２種類の信号を入力することができる。
【発明を実施するための最良の形態】
【００１５】
まず、本発明の具体的な構成を説明する前に、本発明にかかる液晶ディスプレイのパネルの形状の例について図１及び図２を用いて簡単に説明しておく。
【００１６】
図１に示す例は、パネルが丸型、即ち円形状であり、その一部に切り欠き部１００を有する。切り欠き部１００は、円形状の中心と外周を結ぶ線分である第１の辺１０１と第２の辺１０２の間の領域であり、扇形の形状を有している。図１に示すパネルは、かかる第１の辺１０１、第２の辺１０２に加えて、切り欠き部１００を除く外周にある円弧状の辺２００により囲まれた形状を有している。図１に示すパネルは、長方形の中央領域において、両端部の法線が接点を持つように、円弧状に折り曲げられていると捉えることも可能である。
【００１７】
図２に示す例におけるパネルは、半円状に扇を広げた形状を有している。即ち、当該パネルは、半円より長方形の切り欠き部３００を切り抜いた形状を有する。但し、外周は円弧状ではなく、当該円弧に沿うようにして配置された複数の直線より構成されている。この例では、外周は、直線よりなる５辺により構成されている。切り欠き部３００は、当該パネルの内周を構成する第１の辺３０１、第２の辺３０２及び第３の辺３０３より構成されている。さらに、外周と内周を結ぶ２辺４０１、４０２が設けられている。辺４０１と、辺４０２は、互いに同一線状に配置されている。従って、辺４０１の法線と辺４０２の法線とは、平行である。図２に示す表示部は、長方形の中央領域において折り曲げられ、両端が同一の方向に、平行に延在していると捉えることも可能である。
図１及び図２に示すパネルの形状は、いずれも複数の直線状の辺若しくは曲線状の辺より形成された円弧状の外形状を有している。
【００１８】
発明の実施の形態１．
図３は、本発明を実施するための実施の形態１における、丸型タイプ液晶ディスプレイの構造を示すものである。ここでいう丸型とは、図３の形状のみとは限らず、楕円や半円等、さまざまな円形状を意味する。
【００１９】
図３において、丸型のパネル１は、扇形の切り欠き部を有し、２種類の駆動信号を入力するための駆動信号入力用端子２と駆動信号入力用端子３が設けられている。これにより、二方向（Ｘ方向・Ｙ方向）の信号入力が可能である。
【００２０】
駆動信号入力用端子２は、駆動信号入力用端子２１と駆動信号入力用端子２２とを備えている。当該駆動信号入力用端子２１は、切り欠き部１００の第１の辺１０１に設けられている。駆動信号入力用端子２２は、切り欠き部１００の第２の辺１０２に設けられている。但し、駆動信号入力用端子２は、一方の辺のみに設けられていてもよい。
【００２１】
駆動信号入力端子２は、複数の信号線と接続されている。信号線の数は解像度に応じて決めることができる。駆動信号入力用端子２１及び駆動信号入力用端子２２はそれぞれ独立した複数の信号線が接続されている。例えば、駆動信号入力用端子２１に接続された信号線と駆動信号入力用端子２２に接続された信号線は交互に配置されている。また、駆動信号入力用端子２１に接続された信号線を外周側に駆動信号入力用端子２２に接続された信号線を内周側に分割してもよい。
【００２２】
駆動信号入力用端子３は、パネル１の外周にある辺２００に設けられた端子である。この例では、辺２００の一端から他端まで連続的に設けられている。この駆動信号入力端子３は、複数のデータ線と接続されている。データ線の数は解像度に応じて決めることができる。パネル１は、図示しない上側または下側の透明絶縁性基板上に着色層、遮光層、スイッチング素子となる薄膜トランジスタ（以下、ＴＦＴと称す）、画素電極等の電極および配線が形成されたＴＦＴアレイ基板および対向基板、二枚の基板を等間隔に保持するスペーサ、二枚の基板を貼り合わせるシール材、二枚の基板との間に液晶を注入した後に封止する封止材、液晶に初期配向をもたせる配向膜および光を偏光させる偏光板などにより構成される。パネル１は、駆動信号入力用端子２、３とそれぞれ接続されている。尚、他の実施の形態においてもパネル１の内部構成は上述した構成と基本的に同一の構成を有するため、他の実施の形態における説明は省略する。
【００２３】
次に、液晶表示パネルの信号線及びデータ線の配置について説明する。まず、駆動信号入力用端子２と接続された信号線（図示せず）は、表示部１の円周と平行に、即ち同心円状に設けられる。複数の信号線は、互いに平行に配置される。駆動信号入力用端子３と接続されたデータ線（図示せず）は、表示部１の外周から中心方向へ延在した線分上に設けられる。
【００２４】
信号線とデータ線は、このようにして配置されるため、互いに交差することができ、交点に設けられたＴＦＴによって、対応する画素の表示を個別にオン・オフを切り替えることができる。このようにして液晶表示パネル内の任意の画素の表示状態を切り替えることができ、全体として任意の画像を液晶表示パネルに表示させることができる。
【００２５】
発明の実施の形態２．
図４は、本発明を実施するための実施の形態２における、丸型タイプ液晶ディスプレイの構造を示すものである。ここでいう丸型とは、図４の形状のみとは限らず、さまざまな円形状を意味する。
【００２６】
図４において、丸型の液晶ディスプレイは、パネル１に扇形の切り欠き部１００と円形状の切り欠き部４００が設けられている。ここで円形状の切り欠き部４００における円弧状の辺を辺４０１とする。
【００２７】
信号線と接続された駆動信号入力端子２は、発明の実施の形態１と同様に、第１の駆動信号入力端子２１が辺１０１に、第２の駆動信号入力端子２２が辺１０２に設けられている。また、データ線と接続された駆動信号入力端子３は円形状の切り欠き部４００における辺４０１に設けられている。但し、駆動信号入力用端子２は、一方の辺のみに設けられていてもよい。
【００２８】
このような構成によれば、丸型液晶ディスプレイの外周部分に入力端子を設けることができない場合や、また液晶ディスプレイの小型化を行う際でも、二方向（Ｘ方向・Ｙ方向）の信号入力が可能である。また、内周に入力端子を設けることにより、外周のデザイン上の制約が少なくなるというメリットもある。
【００２９】
次に、液晶表示パネルの信号線及びデータ線の配置について説明する。まず、駆動信号入力用端子２と接続された信号線（図示せず）は、パネル１の円周と平行に、即ち同心円状に設けられる。複数の信号線は、互いに平行に配置される。駆動信号入力用端子３と接続されたデータ線（図示せず）は、パネル１の中央近傍から外周方向へ放射線状に配置される。
【００３０】
信号線とデータ線は、このようにして配置されるため、互いに交差することができ、交点に設けられたＴＦＴによって、対応する画素の表示を個別にオン・オフを切り替えることができる。このようにして液晶表示パネル内の任意の画素の表示状態を切り替えることができ、全体として任意の画像を液晶表示パネルに表示させることができる。
【００３１】
発明の実施の形態３．
図５は、本発明を実施するための実施の形態３における、多角形タイプ液晶ディスプレイの構造を示すものである。
【００３２】
図５において、この実施の形態にかかる液晶ディスプレイのパネル１は、各辺は曲線により構成されてはいないが、全体的に円弧状に屈曲されて形成されている。そして、中央部に切り欠き部５００が設けられている。この切り欠き部５００におけるパネル１の内周は、７つの直線状の辺５０１乃至５０７より形成されている。そして、外周は、略内周の各辺５０１乃至５０７のそれぞれと平行となる辺２０１乃至２０７が設けられている。内周と外周を連結する辺６０１、６０２は、このパネル１が長方形の形状を有する平面体が屈曲されて形成されていると捉えると、当該パネル１の両端部に相当する。複数の信号線と接続された駆動信号入力用端子２を構成する駆動信号入力用端子２１は辺６０１に設けられ、同駆動信号入力用端子２２は辺６０２に設けられている。但し、駆動信号入力用端子２は、一方の辺のみに設けられていてもよい。
【００３３】
他方、複数のデータ線と接続された駆動信号入力用端子３は、複数の端子３１乃至３７に分割されている。それぞれ端子３１は辺２０１に、端子３２は辺２０２に、端子３３は辺２０３に、端子３４は辺２０４に、端子３５は辺２０５に、端子３６は辺３０６に、端子３７は辺３０７に設けられている。
【００３４】
次に、液晶表示パネルの信号線及びデータ線の配置について説明する。まず、駆動信号入力用端子２と接続された信号線（図示せず）は、パネル１の内周の辺５０１乃至５０７や外周の辺２０１乃至２０７のそれぞれと平行になるようにして配置される。複数の信号線は、互いに平行に配置される。駆動信号入力用端子３と接続されたデータ線（図示せず）は、パネル１の外周から中央部に向って延在するようにして配置される。
【００３５】
信号線とデータ線は、このようにして配置されるため、互いに交差することができ、交点に設けられたＴＦＴによって、対応する画素の表示を個別にオン・オフを切り替えることができる。このようにして液晶表示パネル内の任意の画素の表示状態を切り替えることができ、全体として任意の画像を液晶表示パネルに表示させることができる。
【００３６】
発明の実施の形態４．
図６は、本発明を実施するための実施の形態４における、多角形タイプ液晶ディスプレイの構造を示すものである。
【００３７】
図６において、この実施の形態にかかる液晶ディスプレイのパネル１は、各辺は曲線により構成されてはいないが、全体的に円弧状に屈曲されて形成されている。そして、中央部に切り欠き部５００が設けられている。この切り欠き部５００におけるパネル１の内周は、７つの直線状の辺５０１乃至５０７より形成されている。そして、外周は、略内周の各辺５０１乃至５０７のそれぞれと平行となる辺２０１乃至２０７が設けられている。内周と外周を連結する辺６０１、６０２は、このパネル１が長方形の形状を有する平面体が屈曲されて形成されていると捉えると、当該パネル１の両端部に相当する。複数の信号線と接続された駆動信号入力用端子２を構成する駆動信号入力用端子２１は辺６０１に設けられ、同駆動信号入力用端子２２は辺６０２に設けられている。但し、駆動信号入力用端子２は、一方の辺のみに設けられていてもよい。
【００３８】
他方、複数のデータ線と接続された駆動信号入力用端子３は、複数の端子３１乃至３７に分割され、パネル１の内周に設けられている。それぞれ端子３１は辺５０１に、端子３２は辺５０２に、端子３３は辺５０３に、端子３４は辺５０４に、端子３５は辺５０５に、端子３６は辺５０６に、端子３７は辺５０７に設けられている。
【００３９】
次に、液晶表示パネルの信号線及びデータ線の配置について説明する。まず、駆動信号入力用端子２と接続された信号線（図示せず）は、パネル１の内周の辺５０１乃至５０７や外周の辺２０１乃至２０７のそれぞれと平行になるようにして配置される。複数の信号線は、互いに平行に配置される。駆動信号入力用端子３と接続されたデータ線（図示せず）は、パネル１の内周から外周に向って放射状に延在するようにして配置される。より具体的には、辺５０１に配置された駆動信号入力用端子３１に接続されたデータ線は、外周に近づくに従って広がり、辺２０１の全体に亘ってデータ線の端部が位置するように配線される。他の駆動信号入力用端子３２乃至３７も同様に対応する辺２０２乃至２０７の全体に亘ってデータ線の端部が位置するように配線される。
【００４０】
信号線とデータ線は、このようにして配置されるため、互いに交差することができ、交点に設けられたＴＦＴによって、対応する画素の表示を個別にオン・オフを切り替えることができる。このようにして液晶表示パネル内の任意の画素の表示状態を切り替えることができ、全体として任意の画像を液晶表示パネルに表示させることができる。
【００４１】
発明の実施の形態５．
図７は、本発明を実施するための実施の形態５における、丸型タイプ液晶ディスプレイの構造を示すものである。本形態では液晶ディスプレイは、内部にアナログ式回転計を備えており、例えば、自動車のスピードメーター等の表示として利用することができる。
【００４２】
図７において、丸型のパネル１は、扇形の切り欠き部を有し、各辺に２種類の駆動信号を入力するための駆動信号入力用端子２と駆動信号用入力端子３が設けられている。これにより、二方向（Ｘ方向・Ｙ方向）の信号入力が可能である。このパネル１の基本的な構成は、図３を用いて説明した発明の実施の形態１と同様であり説明を省略する。但し、発明の実施の形態１では、駆動信号入力用端子２を駆動信号入力用端子２１と２２に分割して設けるようにしたが、この発明の実施の形態５では、切り欠き部１００の辺１０２のみに設けている点で異なる。
【００４３】
丸型のパネル１の表示面上に、回転針６を設置することによりアナログ式回転計を形成することが可能となる。さらに、回転針６を小型モータ等（ステッピングモータ等）で駆動させる際、小型モータの駆動電源や駆動信号を、回転針６と駆動信号入力用端子２との接触部より供給することも可能である。
【００４４】
この丸型の液晶ディスプレイを使ったアナログ式回転計を使用することで、液晶ディスプレイ表示部は、各々の使用目的に合わせたデザイン（表示内容）に、簡単に変更することが可能である。またアナログ式回転針を使用していることより、針部は立体的となり視認性に優れた構造になっている。更に、デザイン的にアナログ式回転針を好むユーザにも適応可能である。また、液晶ディスプレイの表示内容の選択性においても、二方向（Ｘ方向・Ｙ方向）の信号入力方式を取っているため、通常パソコンで使用されているモニターと同様、さまざまな表示画面が選択可能であり、鮮やかな画面を表示することも可能である。
【００４５】
更に、入力信号（表示データ）を変更するだけで、ユーザの好みに合わせた表示内容にも簡単に変更が可能となる。製品のデザイン上、外形を丸型にする必要がある際にも、いままでの四角や長方形タイプの液晶ディスプレイでは取り付けが不可能であったが、この丸型液晶ディスプレイを使ったアナログ式回転系を使用することで、これらのデザイン上の問題も解決することが可能である。
【００４６】
発明の実施の形態６．
図８は、本発明を実施するための実施の形態６における、丸型タイプ液晶ディスプレイの構造を示すものである。ここでいう丸型とは、図８の形状のみとは限らず、さまざまな円形状を意味する。本形態では液晶ディスプレイは、内部にアナログ式回転計を備えており、例えば、自動車のスピードメーター等の表示として利用することができる。
【００４７】
図８において、丸型の液晶ディスプレイ４は、扇形の切り欠き部と中心に円形状の切り欠き部を有し、各辺に２種類の駆動信号を入力するための駆動信号入力用端子２と駆動信号用入力端子３が設けられている。これにより、二方向（Ｘ方向・Ｙ方向）の信号入力が可能である。このパネル１の基本的な構成は、図４を用いて説明した発明の実施の形態２と同様であり説明を省略する。但し、発明の実施の形態２では、駆動信号入力用端子２を駆動信号入力用端子２１と２２に分割して設けるようにしたが、この発明の実施の形態６では、切り欠き部１００の辺１０２のみに設けている点で異なる。
【００４８】
更にこの丸型のパネル１の中心部に、回転針６を設置することによりアナログ式回転メータを形成することが可能となる。また、回転針６を小型モータ等（ステッピングモータ等）で駆動させる際、小型モータの駆動電源や駆動信号を、駆動信号入力用端子２または駆動信号入力用端子３より供給することも可能である。
【００４９】
この丸型液晶ディスプレイを使ったアナログ式回転メータを使用することで、液晶ディスプレイ表示部は、各々の使用目的に合わせたデザイン（表示内容）に、簡単に変更することが可能であり、またアナログ式回転針を使用していることより、針部は立体的となり視認性に優れた構造になっている。更に、デザイン的にアナログ式回転針を好むユーザにも適応可能である。液晶ディスプレイの表示内容の選択性においても、二方向（Ｘ方向・Ｙ方向）の信号入力方式を取っているため、通常パソコンで使用されているモニターと同様、さまざまな表示画面が選択可能であり、鮮やかな画面を表示することも可能である。
【００５０】
更に、入力信号（表示データ）を変更するだけで、ユーザの好みに合わせた表示内容にも簡単に変更が可能となる。製品のデザイン上、外形を丸型にする必要がある際にも、いままでの四角や長方形タイプの液晶ディスプレイでは取り付けが不可能であったが、この丸型液晶ディスプレイを使ったアナログ式回転系を使用することで、これらのデザイン上の問題も解決することが可能である。更に、駆動信号入力端子が全て表示部より内側に設けられていることにより、製品のデザイン上丸型液晶ディスプレイの外周部分に入力端子を設けることができない場合や、製品全体またはディスプレイ部の小型化を行う際でも、二方向（Ｘ方向・Ｙ方向）の信号入力が可能であるため、通常のパソコン用モニター同様の画面表示が可能である。
【００５１】
発明の実施の形態７．
図９は、本発明を実施するための実施の形態７における、多角形タイプ液晶ディスプレイの構造を示すものである。ここでいう多角形とは、図９の形状のみとは限らず、さまざまな多角形を意味する。本形態では液晶ディスプレイは、内部にアナログ式回転計を備えており、例えば、自動車のスピードメーター等の表示として利用することができる。
【００５２】
図９において、多角形のパネル１は、一部分に切り欠き部を有し、各辺に２種類の駆動信号を入力するための駆動信号入力用端子２と駆動信号用入力端子３が設けられている。これにより、二方向（Ｘ方向・Ｙ方向）の信号入力が可能である。このパネル１の基本的な構成は、図５を用いて説明した発明の実施の形態３と同様であり説明を省略する。
【００５３】
信号入力が通常のパソコンモニターと同じ方式であるため、鮮やかな画面を表示することが可能であり、また図９に示すような複雑な表示内容を、多角形の液晶ディスプレイ上に表示することも可能である。この多角形液晶ディスプレイを使用することで、ディスプレイ表示部は、各々の使用目的に合わせたデザイン（表示内容）に簡単に変更することが可能である。また、用途に合わせて表示サイズや配色も視認性が良いものに簡単に変更することが可能である。
【００５４】
更に、入力信号（表示データ）を変更するだけで、ユーザの好みに合わせた表示内容にも簡単に変更が可能となる。多角形の液晶ディスプレイであるため、製品のデザインに合わせた形状（多角形）に変更することが可能であり、いままでの四角や長方形タイプの液晶ディスプレイでは取り付けが不可能であった製品に対しても、使用することが可能である。よって、これらのデザイン上の問題も解決することが可能である。
【００５５】
発明の実施の形態８．
図１０は、本発明を実施するための実施の形態８における、多角形タイプ液晶ディスプレイの構造を示すものである。ここでいう多角形とは、図９の形状のみとは限らず、さまざまな多角形を意味する。本形態では液晶ディスプレイは、内部にアナログ式回転計を備えており、例えば、自動車のスピードメーター等の表示として利用することができる。
【００５６】
図１０において、多角形のパネル１は、一部分に切り欠き部を有し、各辺に２種類の駆動信号を入力するための駆動信号入力用端子２と駆動信号用入力端子３が設けられている。また、駆動信号用入力端子３は液晶ディスプレイの中心部分の切り欠き部に設けられている。これにより、多角形の液晶ディスプレイの外周部分に入力端子を設けることができない場合や、また液晶ディスプレイの小型化を行う際でも、二方向（Ｘ方向・Ｙ方向）の信号入力が可能である。このパネル１の基本的な構成は、図６を用いて説明した発明の実施の形態４と同様であり説明を省略する。
【００５７】
信号入力が通常のパソコンモニターと同じ方式であるため、鮮やかな画面を表示することが可能であり、また、図１０に示すような複雑な表示内容を、多角形の液晶ディスプレイ上に表示することも可能である。この多角形液晶ディスプレイを使用することで、ディスプレイ表示部は、各々の使用目的に合わせたデザイン（表示内容）に簡単に変更することが可能である。
【００５８】
また、用途に合わせて表示サイズや配色も視認性が良いものに簡単に変更することが可能である。更に、入力信号（表示データ）を変更するだけで、ユーザの好みに合わせた表示内容にも簡単に変更が可能となる。多角形の液晶ディスプレイであるため、製品のデザインに合わせた形状（多角形）に変更することが可能であり、いままでの四角や長方形タイプの液晶ディスプレイでは取り付けが不可能であった製品に対しても、使用することが可能である。よって、これらのデザイン上の問題も解決することが可能である。
【００５９】
その他の発明の実施の形態．
上述の液晶表示パネルにおいて、表示に用いられる各画素は、一般的には長方形状であるが、パネルの形状に応じて扇形や台形などの形状であってもよい。
【図面の簡単な説明】
【００６０】
【図１】本発明にかかる液晶表示パネルの形状を示す平面図である。
【図２】本発明にかかる液晶表示パネルの形状を示す平面図である。
【図３】本発明にかかる液晶ディスプレイの構成を示す構成図である。
【図４】本発明にかかる液晶ディスプレイの構成を示す構成図である。
【図５】本発明にかかる液晶ディスプレイの構成を示す構成図である。
【図６】本発明にかかる液晶ディスプレイの構成を示す構成図である。
【図７】本発明にかかる液晶ディスプレイの構成を示す構成図である。
【図８】本発明にかかる液晶ディスプレイの構成を示す構成図である。
【図９】本発明にかかる液晶ディスプレイの構成を示す構成図である。
【図１０】本発明にかかる液晶ディスプレイの構成を示す構成図である。
【符号の説明】
【００６１】
１  液晶パネル
２  駆動信号入力用端子
３  駆動信号入力用端子
４  丸型液晶ディスプレイ
５  多角形液晶ディスプレイ
６  回転針
７  液晶表示パネル
２１、２２  駆動信号入力用端子
３１、３２、３３、３４、３５、３６、３７  端子
１００  切り欠き部
１０１、１０２  辺
２００、２０１、２０２、２０３、２０４、２０５、２０６、２０７  辺
３００  切り欠き部
３０１、３０２、３０３  辺
４００  切り欠き部
４０１、４０２  辺
５００  切り欠き部
５０１、５０２、５０３、５０４、５０５、５０６、５０７  辺
【図１】
2005195788.tif 000003
【図２】
2005195788.tif 000004
【図３】
2005195788.tif 000005
【図４】
2005195788.tif 000006
【図５】
2005195788.tif 000007
【図６】
2005195788.tif 000008
【図７】
2005195788.tif 000009
【図８】
2005195788.tif 000010
【図９】
2005195788.tif 000011
【図１０】
2005195788.tif 000012